(57)【要約】  ＩＣチップを内蔵しない携帯端末を使って、簡単に電子マネーの決済を行う決済プログラムなどを提供する。  決済プログラムは、電子マネーの決済に使用されるアンテナ部とカード制御部を有するＩＣカードを着脱可能な状態で保持し且つ電気的に接続する携帯端末にインストールされた決済プログラムである。携帯端末は、ネットワークを介してサーバー３０と通信可能である。決済は、少なくともアンテナ部がリーダー／ライターの通信領域に位置した場合に行われる。決済プログラムは、ＩＣカードから情報を読み取る読み取り工程と、読み取り工程で得られた情報と、サーバー３０からの情報とに基づいて、携帯端末が保持し且つ電気的に接続した状態のＩＣカードについて決済が可能な状態にする否かの判断を行う第１判断処理工程とを実行する。
2018235710.tif 000002
【特許請求の範囲】
【請求項１】
電子マネーの決済に使用されるアンテナ部とカード制御部を有するＩＣカードを着脱可能な状態で保持し且つ電気的に接続する携帯端末にインストールされた決済プログラムであって、
前記携帯端末は、ネットワークを介してサーバーと通信可能であり、
前記決済は、少なくとも前記アンテナ部がリーダー／ライターの通信領域に位置した場合に行われるものであり、
前記ＩＣカードから情報を読み取る読み取り工程と、
前記読み取り工程で得られた情報と、前記サーバーからの情報とに基づいて、前記携帯端末が保持し且つ電気的に接続した状態の前記ＩＣカードについて前記決済が可能な状態にする否かの判断を行う第１判断処理工程とを実行することを特徴とする決済プログラム。
【請求項２】
前記使用者ごとに、前記ＩＣカードの使用者の使用者ＩＤと前記ＩＣカードのカードＩＤと前記携帯端末の端末ＩＤの関係を示すデータベースが、前記サーバーからの情報であり、
前記データベースにおいて、前記使用者ＩＤに対応して、前記ＩＣカードの前記カードＩＤと前記携帯端末の前記端末ＩＤの組み合わせと、前記ＩＣカードと他のＩＣカードの前記カードＩＤと前記携帯端末と他の携帯端末の前記端末ＩＤの組み合わせが設定された場合に、前記ＩＣカードにおける前記電子マネーの残高情報と、前記他のＩＣカードにおける前記電子マネーの残高情報とを前記携帯端末に表示させる残高表示工程を実行することを特徴とする請求項１に記載の決済プログラム。
【請求項３】
前記残高表示工程において、前記携帯端末における第１の操作が行われた場合に、前記ＩＣカードにおける前記電子マネーの残高の少なくとも一部を、前記他のＩＣカードにおける前記電子マネーの残高に加算し、前記ＩＣカードにおける前記電子マネーの残高であって減算後のものと、前記他のＩＣカードにおける前記電子マネーの残高であって加算後のものを前記携帯端末に表示させることを特徴とする請求項２に記載の決済プログラム。
【請求項４】
前記残高表示工程において、前記携帯端末における第２の操作が行われた場合に、前記他のＩＣカードについて前記決済が不可能な状態にする指示に関する情報を前記サーバーに送信させることを特徴とする請求項２に記載の決済プログラム。
【請求項５】
前記第１判断処理工程において、前記決済が可能な状態にすると判断されなかった場合に、前記携帯端末を介した情報の入力に基づいて、前記携帯端末と電気的に接続した前記ＩＣカードについて前記決済が可能な状態にする否かの判断を行う第２判断処理工程を実行することを特徴とする請求項１に記載の決済プログラム。
【請求項６】
前記携帯端末を介して入力された情報として、前記使用者ＩＤと、前記使用者ＩＤに対応する文字列の少なくとも一方が入力された場合に、前記第２判断処理工程において、前記決済が可能な状態にすると判断されることを特徴とする請求項５に記載の決済プログラム。
【請求項７】
前記ＩＣカードのカードＩＤと、前記ＩＣカードの使用者の使用者ＩＤとが、前記ＩＣカードから読み取った情報であり、
前記使用者ごとに、前記使用者ＩＤと前記カードＩＤと前記携帯端末の端末ＩＤの関係を示すデータベースが、前記サーバーからの情報であり、
前記ＩＣカードから読み取った情報に含まれる前記カードＩＤと前記使用者ＩＤと、前記カードＩＤと前記使用者ＩＤを読み取った前記携帯端末の前記端末ＩＤの組み合わせが、前記データベースに含まれる場合は、前記第１判断処理工程において、前記決済が可能な状態にすると判断されることを特徴とする請求項１に記載の決済プログラム。
【請求項８】
電子マネーの決済に使用されるアンテナ部とカード制御部を有するＩＣカードを着脱可能な状態で保持し且つ電気的に接続する携帯端末における前記電子マネーの決済方法であって、
前記決済は、少なくとも前記アンテナ部がリーダー／ライターの通信領域に位置した場合に行われるものであり、
前記ＩＣカードから情報を読み取る読み取り工程と、
前記読み取り工程で得られた情報と、ネットワークを介して通信したサーバーからの情報とに基づいて、前記携帯端末が保持し且つ電気的に接続した状態の前記ＩＣカードについて前記決済が可能な状態にするか否かの判断を行う第１判断処理工程とを実行することを特徴とする決済方法。
【請求項９】
前記使用者ごとに、前記ＩＣカードの使用者の使用者ＩＤと前記ＩＣカードのカードＩＤと前記携帯端末の端末ＩＤの関係を示すデータベースが、前記サーバーからの情報であり、
前記データベースにおいて、前記使用者ＩＤに対応して、前記ＩＣカードの前記カードＩＤと前記携帯端末の前記端末ＩＤの組み合わせと、前記ＩＣカードと他のＩＣカードの前記カードＩＤと前記携帯端末と他の携帯端末の前記端末ＩＤの組み合わせが設定された場合に、前記ＩＣカードにおける前記電子マネーの残高情報と、前記他のＩＣカードにおける前記電子マネーの残高情報とを前記携帯端末に表示させる残高表示工程を実行することを特徴とする請求項８に記載の決済方法。
【請求項１０】
電子マネーの決済に使用されるアンテナ部とカード制御部とを備えたＩＣカードであって、
前記ＩＣカードは、着脱可能な状態で携帯端末に保持され且つ電気的に接続されるものであり、
前記決済は、少なくとも前記アンテナ部がリーダー／ライターの通信領域に位置した場合に行われるものであり、
前記携帯端末が前記ＩＣカードから読み取った情報と、ネットワークを介して前記携帯端末と通信したサーバーからの情報とに基づいて、前記携帯端末が保持し且つ電気的に接続した状態の前記ＩＣカードについて前記決済が可能な状態にするか否かの判断を行う第１判断処理工程が実行され、前記第１判断処理工程の後に、前記決済が可能な状態にされることを特徴とするＩＣカード。
【請求項１１】
前記使用者ごとに、前記ＩＣカードの使用者の使用者ＩＤと前記ＩＣカードのカードＩＤと前記携帯端末の端末ＩＤの関係を示すデータベースが、前記サーバーからの情報であり、
前記データベースにおいて、前記使用者ＩＤに対応して、前記ＩＣカードの前記カードＩＤと前記携帯端末の前記端末ＩＤの組み合わせと、前記ＩＣカードと他のＩＣカードの前記カードＩＤと前記携帯端末と他の携帯端末の前記端末ＩＤの組み合わせが設定された場合に、前記ＩＣカードにおける前記電子マネーの残高情報と、前記他のＩＣカードにおける前記電子マネーの残高情報とを前記携帯端末に表示させる残高表示工程が実行されることを特徴とする請求項１０に記載のＩＣカード。
【請求項１２】
電子マネーの決済に使用される第１のＩＣカードと、
前記第１のＩＣカードが、着脱可能な状態で保持され且つ電気的に接続される第１携帯端末と、
前記第１携帯端末とは他の携帯端末であって、前記第１のＩＣカードが、着脱可能な状態で電気的に接続される第２携帯端末と、
ネットワークを介して、前記第１携帯端末及び前記第２携帯端末と通信するサーバーとを備え、
前記決済は、少なくとも前記アンテナ部がリーダー／ライターの通信領域に位置した場合に行われるものであり、
前記第１のＩＣカードが前記第１携帯端末に保持され且つ電気的に接続された時に、前記第１のＩＣカードから読み取った情報と、前記サーバーからの情報とに基づいて、前記第１携帯端末と電気的に接続した前記第１のＩＣカードについて前記決済が可能な状態にする否かの判断が行われ、
前記第１のＩＣカードが前記第１携帯端末から取り外され、前記第１のＩＣカードが前記第２携帯端末に保持され且つ電気的に接続された時に、前記第１のＩＣカードから読み取った情報と、前記サーバーからの情報とに基づいて、前記第２携帯端末と電気的に接続した前記第１のＩＣカードについて前記決済が可能な状態にする否かの判断が行われることを特徴とする決済システム。
【請求項１３】
前記第１のＩＣカードとは他のＩＣカードであって、前記電子マネーの決済に使用される第２のＩＣカードを更に備え、
前記使用者ごとに、前記ＩＣカードの使用者の使用者ＩＤと前記ＩＣカードのカードＩＤと前記携帯端末の端末ＩＤの関係を示すデータベースが、前記サーバーからの情報であり、
前記データベースにおいて、前記使用者ＩＤに対応して、前記第１のＩＣカードの前記カードＩＤと前記第１携帯端末の前記端末ＩＤの組み合わせと、前記第２のＩＣカードの前記カードＩＤと前記第２携帯端末の前記端末ＩＤの組み合わせが設定された場合に、前記第１携帯端末には、前記第１のＩＣカードにおける前記電子マネーの残高情報と、前記第２のＩＣカードにおける前記電子マネーの残高情報とが表示されることを特徴とする請求項１２に記載の決済システム。
【発明の詳細な説明】
【技術分野】
【０００１】
本発明は、電子マネーの決済を行う決済プログラムなどに関する。
【背景技術】
【０００２】
特許文献１などで、電子マネーの決済を行うＩＣチップを含むＩＣカードを使った決済システムなどが提案されている。
【先行技術文献】
【特許文献】
【０００３】
【特許文献１】特開２０１７−  ４２３４号公報
【発明の概要】
【発明が解決しようとする課題】
【０００４】
しかしながら、ＩＣチップを内蔵した携帯端末を用意する必要がある。【０００５】
したがって本発明の目的は、ＩＣチップを内蔵しない携帯端末を使って、簡単に電子マネーの決済を行う決済プログラムなどを提供することである。
【課題を解決するための手段】
【０００６】
１
本発明に係る決済プログラムは、電子マネーの決済に使用されるアンテナ部とカード制御部を有するＩＣカードを着脱可能な状態で保持し且つ電気的に接続する携帯端末にインストールされた決済プログラムであって、携帯端末は、ネットワークを介してサーバーと通信可能であり、決済は、少なくともアンテナ部がリーダー／ライターの通信領域に位置した場合に行われるものであり、ＩＣカードから情報を読み取る読み取り工程と、読み取り工程で得られた情報と、サーバーからの情報とに基づいて、携帯端末が保持し且つ電気的に接続した状態のＩＣカードについて決済が可能な状態にする否かの判断を行う第１判断処理工程とを実行する。【０００７】
ＩＣチップを内蔵しない携帯端末にＩＣカードを取り付けて電気的に接続させることで、ＩＣチップを内蔵しない携帯端末を使って、簡単に電子マネーの決済を行うことが可能になる。
ＩＣカードを電気的に接続させた時などに、当該ＩＣカードの情報と、サーバー３０からの情報とに基づいて、決済可能な状態にするか否かの判断（第１判断処理工程）を実行するので、特定の条件に合致する場合に限定して、決済可能な状態にすることが可能になる。【０００８】
また、好ましくは、使用者ごとに、ＩＣカードの使用者の使用者ＩＤとＩＣカードのカードＩＤと携帯端末の端末ＩＤの関係を示すデータベースが、サーバーからの情報であり、データベースにおいて、使用者ＩＤに対応して、ＩＣカードのカードＩＤと携帯端末の端末ＩＤの組み合わせと、ＩＣカードと他のＩＣカードのカードＩＤと携帯端末と他の携帯端末の端末ＩＤの組み合わせが設定された場合に、ＩＣカードにおける電子マネーの残高情報と、他のＩＣカードにおける電子マネーの残高情報とを携帯端末に表示させる残高表示工程を実行する。【０００９】
ＩＣカードと電気的に接続された携帯端末上で、当該ＩＣカードの使用者と使用者ＩＤが共通する他のＩＣカードの残高情報を出力させることが可能になる。【００１０】
さらに好ましくは、残高表示工程において、携帯端末における第１の操作が行われた場合に、ＩＣカードにおける電子マネーの残高の少なくとも一部を、他のＩＣカードにおける電子マネーの残高に加算し、ＩＣカードにおける電子マネーの残高であって減算後のものと、他のＩＣカードにおける電子マネーの残高であって加算後のものを携帯端末に表示させる。【００１１】
当該ＩＣカードと当該他のＩＣカードの間で、電子マネーの振替を行うことが可能になる。【００１２】
また、好ましくは、残高表示工程において、携帯端末における第２の操作が行われた場合に、他のＩＣカードについて決済が不可能な状態にする指示に関する情報をサーバーに送信させる。【００１３】
好ましくは、第１判断処理工程において、決済が可能な状態にすると判断されなかった場合に、携帯端末を介した情報の入力に基づいて、携帯端末と電気的に接続したＩＣカードについて決済が可能な状態にする否かの判断を行う第２判断処理工程を実行する。【００１４】
所定の文字列が、携帯端末を介して入力されたか否かに基づいて、決済可能な状態にするか否かの判断（第２判断処理工程）を実行するので、当該所定の文字列を知らない者（例えば、使用者ＩＤに対応する使用者本人から、ＩＣカードを盗み出した者など）が、ＩＣカードを使った電子マネーの入出金を行うことを防止することが可能になる。【００１５】
さらに好ましくは、携帯端末を介して入力された情報として、使用者ＩＤと、使用者ＩＤに対応する文字列の少なくとも一方が入力された場合に、第２判断処理工程において、決済が可能な状態にすると判断される。【００１６】
使用者ＩＤに関する文字列などが、携帯端末を介して入力されたか否かに基づいて、決済可能な状態にするか否かの判断（第２判断処理工程）を実行するので、使用者ＩＤを知らない者（例えば、使用者ＩＤに対応する使用者本人から、ＩＣカードを盗み出した者など）が、ＩＣカードを使った電子マネーの入出金を行うことを防止することが可能になる。【００１７】
また、好ましくは、ＩＣカードのカードＩＤと、ＩＣカードの使用者の使用者ＩＤとが、ＩＣカードから読み取った情報であり、使用者ごとに、使用者ＩＤとカードＩＤと携帯端末の端末ＩＤの関係を示すデータベースが、サーバーからの情報であり、ＩＣカードから読み取った情報に含まれるカードＩＤと使用者ＩＤと、カードＩＤと使用者ＩＤを読み取った携帯端末の端末ＩＤの組み合わせが、データベースに含まれる場合は、第１判断処理工程において、決済が可能な状態にすると判断される。【００１８】
本発明に係る決済方法は、電子マネーの決済に使用されるアンテナ部とカード制御部を有するＩＣカードを着脱可能な状態で保持し且つ電気的に接続する携帯端末における電子マネーの決済方法であって、決済は、少なくともアンテナ部がリーダー／ライターの通信領域に位置した場合に行われるものであり、ＩＣカードから情報を読み取る読み取り工程と、読み取り工程で得られた情報と、ネットワークを介して通信したサーバーからの情報とに基づいて、携帯端末が保持し且つ電気的に接続した状態のＩＣカードについて決済が可能な状態にするか否かの判断を行う第１判断処理工程とを実行する。【００１９】
好ましくは、使用者ごとに、ＩＣカードの使用者の使用者ＩＤとＩＣカードのカードＩＤと携帯端末の端末ＩＤの関係を示すデータベースが、サーバーからの情報であり、データベースにおいて、使用者ＩＤに対応して、ＩＣカードのカードＩＤと携帯端末の端末ＩＤの組み合わせと、ＩＣカードと他のＩＣカードのカードＩＤと携帯端末と他の携帯端末の端末ＩＤの組み合わせが設定された場合に、ＩＣカードにおける電子マネーの残高情報と、他のＩＣカードにおける電子マネーの残高情報とを携帯端末に表示させる残高表示工程を実行する。【００２０】
本発明に係るＩＣカードは、電子マネーの決済に使用されるアンテナ部とカード制御部とを備えたＩＣカードであって、ＩＣカードは、着脱可能な状態で携帯端末に保持され且つ電気的に接続されるものであり、決済は、少なくともアンテナ部がリーダー／ライターの通信領域に位置した場合に行われるものであり、携帯端末がＩＣカードから読み取った情報と、ネットワークを介して携帯端末と通信したサーバーからの情報とに基づいて、携帯端末が保持し且つ電気的に接続した状態のＩＣカードについて決済が可能な状態にするか否かの判断を行う第１判断処理工程が実行され、第１判断処理工程の後に、決済が可能な状態にされる。【００２１】
好ましくは、使用者ごとに、ＩＣカードの使用者の使用者ＩＤとＩＣカードのカードＩＤと携帯端末の端末ＩＤの関係を示すデータベースが、サーバーからの情報であり、データベースにおいて、使用者ＩＤに対応して、ＩＣカードのカードＩＤと携帯端末の端末ＩＤの組み合わせと、ＩＣカードと他のＩＣカードのカードＩＤと携帯端末と他の携帯端末の端末ＩＤの組み合わせが設定された場合に、ＩＣカードにおける電子マネーの残高情報と、他のＩＣカードにおける電子マネーの残高情報とを携帯端末に表示させる残高表示工程が実行される。【００２２】
本発明に係る決済システムは、電子マネーの決済に使用される第１のＩＣカードと、第１のＩＣカードが、着脱可能な状態で保持され且つ電気的に接続される第１携帯端末と、第１携帯端末とは他の携帯端末であって、第１のＩＣカードが、着脱可能な状態で電気的に接続される第２携帯端末と、ネットワークを介して、第１携帯端末及び第２携帯端末と通信するサーバーとを備え、決済は、少なくともアンテナ部がリーダー／ライターの通信領域に位置した場合に行われるものであり、第１のＩＣカードが第１携帯端末に保持され且つ電気的に接続された時に、第１のＩＣカードから読み取った情報と、サーバーからの情報とに基づいて、第１携帯端末と電気的に接続した第１のＩＣカードについて決済が可能な状態にする否かの判断が行われ、第１のＩＣカードが第１携帯端末から取り外され、第１のＩＣカードが第２携帯端末に保持され且つ電気的に接続された時に、第１のＩＣカードから読み取った情報と、サーバーからの情報とに基づいて、第２携帯端末と電気的に接続した第１のＩＣカードについて決済が可能な状態にする否かの判断が行われる。【００２３】
好ましくは、第１のＩＣカードとは他のＩＣカードであって、電子マネーの決済に使用される第２のＩＣカードを更に備え、使用者ごとに、ＩＣカードの使用者の使用者ＩＤとＩＣカードのカードＩＤと携帯端末の端末ＩＤの関係を示すデータベースが、サーバーからの情報であり、データベースにおいて、使用者ＩＤに対応して、第１のＩＣカードのカードＩＤと第１携帯端末の端末ＩＤの組み合わせと、第２のＩＣカードのカードＩＤと第２携帯端末の端末ＩＤの組み合わせが設定された場合に、第１携帯端末には、第１のＩＣカードにおける電子マネーの残高情報と、第２のＩＣカードにおける電子マネーの残高情報とが表示される。
【発明の効果】
【００２４】
以上のように本発明によれば、ＩＣチップを内蔵しない携帯端末を使って、簡単に電子マネーの決済を行う決済プログラムなどを提供することができる。
【図面の簡単な説明】
【００２５】
【図１】第１状態における決済システムの構成図である。
【図２】第１状態におけるデータベースのコンテンツ例を示す図である。
【図３】第２状態における決済システムの構成図である。
【図４】第２状態におけるデータベースのコンテンツ例を示す図である。
【図５】第３状態における決済システムの構成図である。
【図６】第３状態におけるデータベースのコンテンツ例を示す図である。
【図７】ＩＣカードを携帯端末に取り付けて電気的に接続させた場合に行われるカードＩＤと端末ＩＤの組み合わせのデータベースへの登録（アクティベート）を行う手順を示すフローチャートである。
【図８】第２携帯端末に表示された使用可能表示画面のコンテンツ例を示す図である。
【図９】第２携帯端末に表示された確認表示画面のコンテンツ例を示す図である。
【図１０】第２携帯端末に表示された拒否表示画面のコンテンツ例を示す図である。
【図１１】第１携帯端末に表示された自端末情報画面のコンテンツ例を示す図である。
【図１２】第４状態におけるデータベースのコンテンツ例を示す図である。
【図１３】第２携帯端末に表示された他端末情報画面のコンテンツ例を示す図である。
【図１４】振替前における、第１携帯端末に表示された残高情報画面のコンテンツ例を示す図である。
【図１５】振替後における、第１携帯端末に表示された残高情報画面のコンテンツ例を示す図である。
【図１６】振替後における、データベースのコンテンツ例を示す図である。
【図１７】振替後における、第２携帯端末に表示された入金表示画面のコンテンツ例を示す図である。
【図１８】無効化後における、第１携帯端末に表示された残高情報画面のコンテンツ例を示す図である。
【図１９】無効化後における、データベースのコンテンツ例を示す図である。
【図２０】無効化後における、第４携帯端末に表示された無効化完了画面のコンテンツ例を示す図である。
【発明を実施するための形態】
【００２６】
以下、本実施形態について、図を用いて説明する。
なお、実施形態は、以下の実施形態に限られるものではない。また、一つの実施形態に記載した内容は、原則として他の実施形態にも同様に適用される。また、各実施形態及び各変形例は、適宜組み合わせることが出来る。
【００２７】
本実施形態における決済システム１は、ＩＣカード（第１カード１１〜第４カード１４）、当該ＩＣカードを着脱可能な状態で保持する携帯電話などの携帯端末（第１携帯端末２１〜第５携帯端末２５）、サーバー３０（サーバー通信部３１、サーバー記録部３３、サーバー制御部３５）、リーダー／ライター（第１リーダー／ライター５１、第２リーダー／ライター５２）を備える（図１、図３、図５参照）。
【００２８】
本実施形態では、４つのＩＣカードを用いる形態を説明するが、ＩＣカードの数は４つに限るものではない。
また、本実施形態では、５つの携帯端末を用いる形態を説明するが、携帯端末の数は、５つに限るものではない。
また、本実施形態では、２つのリーダー／ライターを用いる形態を説明するが、リーダー／ライターの数は、２つに限るものではない。
【００２９】
なお、図１では、第１カード１１については、内部の構成を具体的に説明し、第３カード１３、第４カード１４については、内部の構成の図示を省略している。
また、図３では、第１カード１１、第２カード１２については、内部の構成を具体的に説明し、第３カード１３、第４カード１４については、内部の構成の図示を省略している。
また、図５では、第１カード１１〜第３カード１３については、内部の構成を具体的に説明し、第４カード１４については、内部の構成の図示を省略している。
また、図１と図３と図５では、第１携帯端末２１〜第３携帯端末２３については、内部の構成を具体的に示し、第４携帯端末２４、第５携帯端末２５については、内部の構成の図示を省略している。
【００３０】
第１カード１１〜第４カード１４のそれぞれは、アンテナ部とカード制御部（ＩＣチップ）を有し、ＳＩＭカード（Subscriber Identity module Card）など、第１携帯端末２１〜第５携帯端末２５のいずれにも着脱可能な状態で電気的に接続するＩＣカードで構成され、カード制御部には、ＮＦＣ（Near Field Communication：近距離無線通信）及び非接触型決済のアプリケーションがインストールされる。
なお、第１携帯端末２１〜第５携帯端末２５のいずれにも着脱可能な状態で電気的に接続するＩＣカードで構成され、ＮＦＣ及び非接触型決済のアプリケーションを内蔵するものであれば、第１カード１１〜第４カード１４のそれぞれは、ＳＩＭカードに限るものではなく、例えば、ＳＤメモリーカードなどの補助記憶装置であってもよい。
【００３１】
また、ＵＳＢメモリなど携帯端末のコネクタ（例えば、第１携帯端末２１の第１接続部２１ｅ）に接続する外部接続装置が、第１カード１１〜第４カード１４のいずれかを含み、携帯端末が、当該外部接続装置を保持し且つ電気的に接続する形態であってもよい。
【００３２】
第１カード１１は、第１アンテナ部１１ａ、第１カード制御部１１ｂを有する。
第２カード１２は、第２アンテナ部１２ａ、第２カード制御部１２ｂを有する。
第３カード１３は、第３アンテナ部１３ａ、第２カード制御部１３ｂを有する。
第４カード１４も、同様に、アンテナ部、カード制御部を有する（不図示）。
【００３３】
次に、第１カード１１における各部（第１アンテナ部１１ａ、第１カード制御部１１ｂ）の構成を説明するが、第２カード１２〜第４カード１４における、アンテナ部とカード制御部も、同様の機能を有する。
【００３４】
第１アンテナ部１１ａは、リーダー／ライターから第１カード制御部１１ｂへの信号の受信や、第１カード制御部１１ｂからリーダー／ライターへの信号の送信に使用される。
第１カード制御部１１ｂは、ＩＣチップなどで構成され、第１アンテナ部１１ａを介したリーダー／ライターとの信号送受信の他、第１カード１１を保持する携帯端末の接続部（第１携帯端末２１の第１接続部２１ｅ）を介して、当該携帯端末（第１携帯端末２１）との信号送受信を行う。
【００３５】
携帯端末（第１携帯端末２１〜第５携帯端末２５のいずれか）に取り付けられ電気的に接続され、且つ電気的に接続された携帯端末とＩＣカードの組み合わせがデータベースＤ１に登録された状態（アクティベートされた状態）で、第１カード１１の第１アンテナ部１１ａがリーダー／ライター（第１リーダー／ライター５１と第２リーダー／ライター５２のいずれか）の通信領域に位置させた場合に、第１カード１１を介した電子マネーの入出金が可能になる。
【００３６】
携帯端末（第１携帯端末２１〜第５携帯端末２５のいずれか）と電気的に接続されていない第１カード１１は、第１カード１１の第１アンテナ部１１ａがリーダー／ライター（第１リーダー／ライター５１と第２リーダー／ライター５２のいずれか）の通信領域に位置させた場合でも、第１カード１１を介した電子マネーの入出金が出来ない。
【００３７】
ただし、携帯端末（第１携帯端末２１〜第５携帯端末２５のいずれか）と電気的に接続されていない第１カード１１は、第１カード１１の第１アンテナ部１１ａがリーダー／ライター（第１リーダー／ライター５１と第２リーダー／ライター５２のいずれか）の通信領域に位置させた場合に、第１カード１１を介した電子マネーの入出金が出来る形態であってもよい。
【００３８】
携帯端末（第１携帯端末２１〜第５携帯端末２５のいずれか）に取り付けられ且つ電気的に接続されたが、当該携帯端末との組み合わせがデータベースＤ１に登録されていない（アクティベートされていない）第１カード１１は、第１カード１１の第１アンテナ部１１ａがリーダー／ライター（第１リーダー／ライター５１と第２リーダー／ライター５２のいずれか）の通信領域に位置させた場合でも、第１カード１１を介した電子マネーの入出金が出来ない。
【００３９】
第１カード１１を介した電子マネーの入出金は、第１アンテナ部１１ａとリーダー／ライターの通信によるものに限るものではなく、第１カード１１が取り付けられ電気的に接続された携帯端末とネットワークを介した決済によって行われる形態であってもよい。
【００４０】
第１携帯端末２１は、第１通信部２１ａ、第１記録部２１ｂ、第１制御部２１ｃ、第１表示部２１ｄ、第１接続部２１ｅを有する。
第２携帯端末２２は、第２通信部２２ａ、第２記録部２２ｂ、第２制御部２２ｃ、第２表示部２２ｄ、第２接続部２２ｅを有する。
第３携帯端末２３は、第３通信部２３ａ、第３記録部２３ｂ、第３制御部２３ｃ、第３表示部２３ｄ、第３接続部２３ｅを有する。
第４携帯端末２４、第５携帯端末２５も、同様に、通信部、記録部、制御部、表示部、接続部を有する（不図示）。
【００４１】
次に、第１携帯端末２１における各部（第１通信部２１ａ、第１記録部２１ｂ、第１制御部２１ｃ、第１表示部２１ｄ、第１接続部２１ｅ）の構成を説明するが、第２携帯端末２２〜第５携帯端末２５における、通信部、記録部、制御部、表示部、接続部も、同様の機能を有する。
【００４２】
第１通信部２１ａは、電話、無線ＬＡＮなど、ネットワークを介して、サーバー３０のサーバー通信部３１と通信し、情報の送受信を行う無線通信装置である。
【００４３】
第１記録部２１ｂには、決済プログラムがインストールされる。
決済プログラムは、第１判断処理工程、第２判断処理工程、入出金表示工程、残高表示工程、振替工程、無効化工程などを実行し、第１接続部２１ｅに接続されたＩＣカード（第１カード１１）の電子マネー、及び当該ＩＣカードと同じ使用者ＩＤに対応する他のカードＩＤの電子マネーの入出金に関する情報（使用可能表示画面Ｐ１、確認表示画面Ｐ２、拒否表示画面Ｐ３、自端末情報画面Ｐ４、他端末情報画面Ｐ５、残高情報画面Ｐ６、入金表示画面Ｐ７、無効化完了画面Ｐ８）を第１表示部２１ｄに表示させる。
決済プログラムの具体的な動作は後述する。
【００４４】
第１制御部２１ｃは、第１携帯端末２１の各部の制御や、第１接続部２１ｅと電気的に接続されたＩＣカード（第１カード１１）の制御を行う。
【００４５】
第１表示部２１ｄは、入出金情報や残高情報を表示する表示装置であり、タッチパネルなどの入力装置を含む。
入力装置は、ＩＣカードが新たに取り付けられて、当該ＩＣカードを第１接続部２１ｅに接続させた時に行うデータベースＤ１への登録（アクティベート）、同じ使用者ＩＤの他のＩＣカードへの送金指示などに使用される。
当該入力装置は、本実施形態のように第１表示部２１ｄと一体的に構成される形態であってもよいし、キーボードなど第１表示部２１ｄと別体で構成される形態であってもよい。
【００４６】
第１接続部２１ｅは、ＩＣカード（第１カード１１〜第４カード１４のうち、第１携帯端末２１に保持されたもの）と電気的に接続するコネクタである。
【００４７】
次にサーバー３０の各部（サーバー通信部３１、サーバー記録部３３、サーバー制御部３５）について、説明する。
【００４８】
サーバー通信部３１は、ネットワークを介して、データベースＤ１に登録された携帯端末（第１携帯端末２１〜第５携帯端末２５）の通信部のそれぞれ、及び駅や店舗などに設置されたリーダー／ライター（第１リーダー／ライター５１、第２リーダー／ライター５２）と通信を行う。
【００４９】
サーバー記録部３３は、使用者名称、使用者の識別情報（使用者ＩＤ）、ＩＣカードの識別情報（カードＩＤ）、ＩＣカードが電気的に接続された携帯端末の識別情報（端末ＩＤ）、ＩＣカードごとの電子マネーの入出金情報、ＩＣカードごとの電子マネーの残高情報の関係を示すデータベースＤ１を記録する（図２、図４、図６参照）。
【００５０】
使用者ＩＤは、使用者ごとに付与された固有の番号で、ここでは「３８」など数字２桁の文字列で構成される例を示す。
使用者ＩＤは、ＩＣカードを付与する際に、ＩＣカードの提供事業者や電子マネーのサービス事業者などから付与され、当該サービス事業者が、当該ＩＣカードに電気的に接続した所定の端末７０を使って、当該ＩＣカードのカード制御部に記録させる。
ただし、使用者自身が当該ＩＣカードと電気的に接続した携帯端末の入力装置を介して、当該ＩＣカードのカード制御部に使用者ＩＤを記録させる形態であってもよい。
【００５１】
カードＩＤは、ＩＣＣＩＤ（Integrated Circuit Card ID）など、ＩＣカードごとに付与された固有の番号で、ここでは「ＡＡ１」などアルファベットと数字を組み合わせた３桁の文字列で構成される例を示す。
【００５２】
従って、本実施形態におけるＩＣカードは、カードＩＤとともに、使用者ＩＤに関する情報を記録する。
【００５３】
端末ＩＤは、ＩＭＥＩ（International Mobile Equipment Identifier）など、端末ごとに付与された固有の番号で、ここでは「ＢＡＥ９３０２」などアルファベットと数字を組み合わせた７桁の文字列で構成される例を示す。
入出金情報は、ＩＣカードに対応する電子マネーの入金と出金の履歴を示す。
残高は、ＩＣカードに対応する電子マネーの残高を示す。
【００５４】
本実施形態では、図１、図２で、使用者名称：田中（使用者ＩＤ：３８）が、２枚のＩＣカード（第１カード１１、第４カード１４）を保持し、第１カード１１が第１携帯端末２１と電気的に接続され、第４カード１４が第４携帯端末２４と電気的に接続され、使用者名称：木村（使用者ＩＤ：４２）が、１枚のＩＣカード（第３カード１３）を保持し、第３カード１３が第５携帯端末２５と電気的に接続されている例（第１状態）を示す。
また、図３、図４で、使用者名称：田中（使用者ＩＤ：３８）が、３枚目のＩＣカード（第２カード１２）を追加保持し、第２カード１２が第２携帯端末２２と電気的に接続されている例（第２状態）を示す。
また、図５、図６で、使用者名称：木村（使用者ＩＤ：４２）が、１枚目のＩＣカード（第３カード１３）と電気的に接続する携帯端末を第５携帯端末２５から第３携帯端末２３に変えた例（第３状態）を示す。
【００５５】
また、サーバー記録部３３は、サーバー３０と携帯端末（第１携帯端末２１〜第５携帯端末２５）やリーダー／ライター（第１リーダー／ライター５１、第２リーダー／ライター５２）や所定の端末７０との情報送受信を行ったり、データベースＤ１の情報更新を行ったりする決済情報管理プログラムがインストールされている。
【００５６】
サーバー制御部３５は、決済情報管理プログラムを実行させて、サーバー通信部３１やサーバー記録部３３を制御する。
【００５７】
なお、サーバー３０と携帯端末との通信は、携帯端末において入出金処理が行われた時に行われる形態に加え、第１時間Ｔ１（たとえば、１分）ごとに行って、各携帯端末が電気的に接続したＩＣカードの入出金情報や残高情報を取得する形態であってもよい。
入出金情報や残高情報に変化があった場合には、データベースＤ１が更新される。
また、データベースＤ１に、１つの使用者ＩＤに対応して、カードＩＤと端末ＩＤの組み合わせと、他のカードＩＤと他の端末ＩＤの組み合わせが設定されている場合には、当該他のＩＣカードと電気的に接続した当該他の携帯端末に対して、入出金情報や残高情報が送信される。
【００５８】
リーダー／ライター（第１リーダー／ライター５１、第２リーダー／ライター５２）は、鉄道の自動改札機や自動券売機などに設置される。
リーダー／ライターは、所定の通信領域に磁界を形成し、当該通信領域に位置したＩＣカードと、アンテナ部（例えば、第１アンテナ部１１ａ）を介して、入出金のための通信を行う。
入出金に関する情報は、リーダー／ライターからサーバー３０に送信される。
【００５９】
通常は、携帯端末と電気的に接続したＩＣカードを介して電子マネーの入出金が行われた場合には、直後に、入出金情報や残高情報が当該携帯端末からデータベースＤ１に送信されるため、第１時間Ｔ１ごとの入手した情報に基づいて、データベースＤ１が更新される可能性は低い。
ただし、通信状況などに起因して、入出金が行われた直後に入出金情報や残高情報を携帯端末からサーバー３０に送信出来ない事態が考えられる。
第１時間Ｔ１ごとに定期的に各携帯端末が保持するＩＣカードの入出金情報や残高情報を取得することにより、常時、最新の情報（入出金情報、残高情報）をサーバー３０で得ることが可能になる。
【００６０】
決済プログラムの詳細について説明する。
【００６１】
まず、決済プログラムが第１判断処理工程や第２判断処理工程を実行し、ＩＣカードを携帯端末に取り付けて電気的に接続させた場合に行われるカードＩＤと端末ＩＤの組み合わせのデータベースＤ１への登録（アクティベート）を行う手順について図７のフローチャートを用いて説明する。
【００６２】
ＩＣカードが、携帯端末に取り付けられ、ＩＣカードと携帯端末とが電気的に接続されると、当該携帯端末は、取り付けられたＩＣカードのカード制御部から、カードＩＤと使用者ＩＤを読み取り、当該携帯端末の端末ＩＤと共に読み取ったカードＩＤと使用者ＩＤに関する情報をサーバー３０に送信する（図７のステップＳ１１参照）。
【００６３】
サーバー３０は、携帯端末から送られてきた使用者ＩＤとカードＩＤと端末ＩＤの組み合わせが、データベースＤ１に含まれるものか否かを判断し、判断結果を当該携帯端末に送信する。
携帯端末は、サーバー３０から送られてきた判断結果に関する情報に基づいて、使用者ＩＤなどの番号確認を行うか否かを判断する（第１判断処理工程、図７のステップＳ１２参照）。
【００６４】
前述の使用者ＩＤとカードＩＤと端末ＩＤの組み合わせが、データベースＤ１に含まれるものである場合には、携帯端末と電気的に接続されたＩＣカードを使った電子マネーの入出金（決済）が可能な状態にされ、携帯端末は、表示部に、当該入出金が可能な状態にされたことを示すメッセージを含む使用可能表示画面Ｐ１を表示させる（図７のステップＳ１３、図８参照）。
【００６５】
前述の使用者ＩＤとカードＩＤと端末ＩＤの組み合わせが、データベースＤ１に含まれない場合には、携帯端末は、表示部に、当該カードＩＤに対応する使用者ＩＤの入力を促すメッセージ領域と、使用者ＩＤを入力する領域と、入力した情報についてサーバー３０への送信を開始させる送信ボタンを含む確認表示画面Ｐ２を表示させる（図７のステップＳ１４、図９参照）。
【００６６】
携帯端末は、使用者によって入力された使用者ＩＤが、正しいものか、すなわち、当該携帯端末と電気的に接続されたＩＣカードに対応する使用者ＩＤであるか否かを判断する（第２判断処理工程、図７のステップＳ１５参照）。
【００６７】
使用者によって入力された使用者ＩＤが正しいものである場合には、携帯端末は、データベースＤ１を更新する指示に関する情報をサーバー３０に送信し、携帯端末と電気的に接続されたＩＣカードを使った電子マネーの入出金が可能な状態にされ、携帯端末は、表示部に、当該入出金が可能な状態にされたことを示すメッセージを含む使用可能表示画面Ｐ１を表示させる（図７のステップＳ１６、図８参照）。
【００６８】
使用者によって入力された使用者ＩＤが正しいものでない場合には、ステップＳ１４、Ｓ１５を繰り返し、最初に確認表示画面を表示させてから、第２時間Ｔ２（例えば、Ｔ２＝２分）が経過するまでの間に、正しい使用者ＩＤが入力されない場合には、携帯端末は、表示部に、「当該携帯端末とＩＣカードの組み合わせでは、電子マネーの入出金が出来ない」旨の拒否表示画面Ｐ３を表示させ、アクティベート手順を終了する（図７のステップＳ１７、Ｓ１８、図１０参照）。
【００６９】
従って、ステップＳ１３、若しくはステップＳ１６が実行された後でないと、携帯端末と電気的に接続されたＩＣカードを使って電子マネーの入出金を行うことは出来ない。
【００７０】
例えば、第１状態（図１、図２参照）から、使用者名称：田中（使用者ＩＤ：３８）が、第２カード１２を第２携帯端末２２に取り付けし、第２カード１２と第２携帯端末２２とが電気的に接続されると、第２携帯端末２２は、取り付けられた第２カード１２の第２カード制御部１２ｂから、カードＩＤ：ＡＡ２と使用者ＩＤ：３８を読み取り、第２携帯端末２２の端末ＩＤ（ＡＫＬ３００４）と共に読み取ったカードＩＤ（ＡＡ２）と使用者ＩＤ（３８）に関する情報を、サーバー３０に送信する。
第１状態では、使用者ＩＤ：３８とカードＩＤ：ＡＡ２と端末ＩＤ：ＡＫＬ３００４の組み合わせが、データベースＤ１に記録されていないため、第２携帯端末２２は、第２表示部２２ｄに、確認表示画面Ｐ２を表示させる（図９参照）。
【００７１】
第２携帯端末２２の使用者が、第２時間Ｔ２が経過するまでに、使用者ＩＤ：３８を入力出来た場合には、データベースＤ１が第１状態（図２参照）から第２状態（図４参照）に更新され、すなわち、使用者ＩＤ：３８とカードＩＤ：ＡＡ２と端末ＩＤ：ＡＫＬ３００４の組み合わせをデータベースＤ１に追加される。
また、第２携帯端末２２と電気的に接続された第２カード１２を使った電子マネーの入出金が可能な状態にされ、第２携帯端末２２は、第２表示部２２ｄに、当該入出金が可能な状態にされたことを示すメッセージを含む使用可能表示画面Ｐ１を表示させる（図８参照）。
【００７２】
第２携帯端末２２の使用者が、第２時間Ｔ２が経過するまでに、使用者ＩＤ：３８を入力出来なかった場合には、データベースＤ１が第１状態のまま更新されず、第２携帯端末２２と電気的に接続された第２カード１２を使った電子マネーの入出金が可能な状態にはされず、第２携帯端末２２は、第２表示部２２ｄに、「第２携帯端末２２と、第２カード１２の組み合わせでは、電子マネーの入出金が出来ない」旨の拒否表示画面Ｐ３を表示させる（図１０参照）。
【００７３】
これにより、ＩＣチップを内蔵しない携帯端末（第１携帯端末２１など）にＩＣカード（第１カード１１など）を取り付けて電気的に接続させることで、ＩＣチップを内蔵しない携帯端末を使って、簡単に電子マネーの決済を行うことが可能になる。
ＩＣカードを電気的に接続させた時などに、当該ＩＣカードの情報（使用者ＩＤ、カードＩＤ）と、サーバー３０からの情報（データベースＤ１の内容）とに基づいて、決済可能な状態にするか否かの判断（第１判断処理工程）を実行するので、特定の条件に合致する場合に限定して、決済可能な状態にすることが可能になる。
【００７４】
また、データベースＤ１に登録されたカードＩＤと端末ＩＤに対応する使用者ＩＤに関する文字列などが、携帯端末を介して入力されたか否かに基づいて、決済可能な状態にするか否かの判断（第２判断処理工程）を実行するので、使用者ＩＤを知らない者（例えば、使用者ＩＤに対応する使用者本人から、ＩＣカードを盗み出した者など）が、ＩＣカードを使った電子マネーの入出金を行うことを防止することが可能になる。
【００７５】
なお、本実施形態では、確認表示画面Ｐ２において、使用者ＩＤを入力させる例を説明したが、使用者ＩＤに対応する別の文字列（例えば、使用者が任意で設定したパスワードなど）を入力させる形態であってもよい。
この場合には、使用者ＩＤと使用者ＩＤに対応する当該別の文字列との関係を示すデータベースが、サーバー記録部３３に記録される。
確認表示画面Ｐ２の表示後に、入力された文字列が正しいか否かの判断は、サーバー３０から当該別の文字列に関する情報を受信した携帯端末が行う形態であってもよいし、携帯端末から入力された文字列に関する情報を受信したサーバー３０が行う形態であってもよい。
また、確認表示画面Ｐ２において、指紋情報、顔認識情報など、文字列とは別の情報を入力させる形態であってもよい。
【００７６】
次に、カードＩＤと端末ＩＤの組み合わせのデータベースＤ１への登録（アクティベート）済みの携帯端末と電気的に接続されたＩＣカードを使って電子マネーの入出金が行われる手順（決済プログラムが入出金表示工程を実行する手順）について説明する。
【００７７】
携帯端末と電気的に接続されたＩＣカードのアンテナ部を、リーダー／ライターの通信領域内に位置させた状態で、入出金が行われる。
例えば、鉄道の自動改札機に設置されたリーダー／ライターの通信領域内に、当該アンテナ部を位置させた場合には、当該ＩＣカードの電子マネーから所定の電車賃に対応する金額の出金が行われる。
鉄道の自動券売機に設置されたリーダー／ライターの通信領域内に、当該アンテナ部を位置させて、入金手続を行った場合には、当該ＩＣカードの電子マネーに当該入金手続に対応する金額の入金が行われる。
【００７８】
入出金が行われると、ＩＣカードのカード制御部に、入出金情報や残高情報が記録され、ＩＣカードと電気的に接続された携帯端末の決済プログラムが、入出金表示工程を実行し、当該入出金情報や残高情報が、当該携帯端末の表示部に表示され、サーバー３０に当該入出金情報や当該残高情報が送信される。
サーバー３０は、携帯端末から送られてきた入出金情報や残高情報に基づいて、データベースＤ１を更新する。
【００７９】
また、入出金情報や残高情報を送信した携帯端末に電気的に接続されたＩＣカードに対応する使用者ＩＤが、複数のＩＣカードのカードＩＤに対応している場合（データベースＤ１に、１つの使用者ＩＤに対応して、カードＩＤと端末ＩＤの組み合わせと、他のカードＩＤと他の端末ＩＤの組み合わせが設定されている場合）には、サーバー３０は、他のＩＣカードと電気的に接続した他の携帯端末に対して、入出金情報や残高情報を送信する。
当該他の携帯端末は、サーバー３０から受信した入出金情報や残高情報を表示する。
【００８０】
例えば、第３状態から、２０１７年５月２９日に、第１カード１１の第１アンテナ部１１ａが第１リーダー／ライター５１の通信領域に位置するように、第１携帯端末２１を第１リーダー／ライター５１に近づけて、２００円の出金が行われた場合には、第１カード制御部１１ｂに、入出金情報や残高情報が記録され、第１携帯端末２１における決済プログラムが入出金表示工程を実行し、自端末（第１携帯端末２１）のＩＣカード（第１カード１１）で入出金があったことや残高を示す自端末情報画面Ｐ４が第１表示部２１ｄに表示され、第１通信部２１ａを介してサーバー３０に入出金情報や残高情報が送信され、データベースＤ１が更新される（第４状態、図１１、図１２参照）。
【００８１】
サーバー３０は、第１カード１１の使用者（使用者ＩＤ：３８）に対応する他のＩＣカード（第２カード１２、第４カード１４）と電気的に接続する携帯端末（第２携帯端末２２、第４携帯端末２４）に、第１カード１１の入出金情報と残高情報を送信する。
【００８２】
第２携帯端末２２においても入出金表示工程が実行され、第２表示部２２ｄに、他端末（第１携帯端末２１）のＩＣカード（第１カード１１）で入出金があったことや残高を示す他端末情報画面Ｐ５が表示される（図１３参照）。
第４携帯端末２４でも、同様に、入出金表示工程が実行され、他端末情報画面Ｐ５が表示される。
【００８３】
これにより、同じ使用者が所有するＩＣカードの入出金情報や残高情報を、他のＩＣカードであって同じ使用者ＩＤに対応するものと電気的に接続した携帯端末に出力することが可能になる。
【００８４】
なお、ＩＣカードの電子マネーへの入金は、ＩＣカードとリーダー／ライターとの通信に基づいて行われるだけでなく、当該ＩＣカードの使用者ＩＤと対応するように登録したクレジットカードや他の電子マネーから行える形態であってもよい。
【００８５】
次に、決済プログラムが残高表示工程を実行し、自端末のＩＣカードや、同じ使用者が所有する他のＩＣカードの残高情報が表示される手順や、決済プログラムが振替工程を実行し、ＩＣカード間の電子マネーの口座振替が行われる手順や、決済プログラムが無効化工程を実行し、指定したＩＣカードがアクティベートされた状態を解除する（ＩＣカードを無効化する）手順について説明する。
【００８６】
使用者によって、ＩＣカードと電気的に接続された携帯端末において、同じ使用者ＩＤに対応する他のＩＣカードの残高情報を含む残高情報画面Ｐ６を表示させる操作が行われると、決済プログラムが残高表示工程を実行し、当該携帯端末がサーバー３０にアクセスし、当該他のＩＣカードの残高情報を取得し、当該携帯端末に残高情報画面Ｐ６が表示される。
【００８７】
当該他のＩＣカードの残高情報の取得は、当該携帯端末がサーバー３０にアクセスした時点でデータベースＤ１に記録されたものを用いる形態であってもよいし、当該時点以降にサーバー３０が他のＩＣカードを電気的に接続した携帯端末と通信して、最新の残高情報を取得し、これを当該他のＩＣカードの残高情報とする形態であってもよい。
【００８８】
残高情報画面Ｐ６は、自端末に電気的に接続されたＩＣカードの残高情報、当該ＩＣカードの使用者ＩＤに対応する他のＩＣカードの残高情報を表示する第１表示領域Ｐ６ａと、当該他のＩＣカードへの送金を行う振替指示ボタンを表示する第２表示領域Ｐ６ｂと、当該他のＩＣカードを無効化する無効化指示ボタンを表示する第３表示領域Ｐ６ｃを有する。
【００８９】
振替指示ボタンがクリックされる（第１の操作が行われる）と、決済プログラムが振替工程を実行し、自端末に電気的に接続されたＩＣカードについて所定金額の出金が行われ、振替指示ボタンに対応する他のＩＣカードについて当該所定金額の入金が行われる。
すなわち、自端末に電気的に接続されたＩＣカードの電子マネーから、当該ＩＣカードの使用者ＩＤに対応する他のＩＣカードの電子マネーへの振替が行われる。
【００９０】
所定金額の出金が行われると、ＩＣカードのカード制御部に、当該所定金額の出金（振替）に関する入出金情報や残高情報が記録され、ＩＣカードと電気的に接続された携帯端末に表示された当該残高情報画面Ｐ６が更新され、サーバー３０に当該入出金情報や当該残高情報が送信される。
【００９１】
サーバー３０は、携帯端末から送られてきた入出金情報や残高情報に基づいて、データベースＤ１を更新する。
また、サーバー３０は、他のＩＣカードと電気的に接続した他の携帯端末に対して、当該所定金額の入金（振替）に関する入出金情報や残高情報を送信する。
【００９２】
他の携帯端末に電気的に接続されたＩＣカードのカード制御部に、当該所定金額の入金（振替）に関する入出金情報や残高情報が記録される。
当該他の携帯端末において、決済プログラムが振替工程を実行し、サーバー３０から受信した当該所定金額の入金（振替）に関する入出金情報や残高情報（入金表示画面Ｐ７）が表示される。
所定金額は、予め定められた金額（例えば、１，０００円）であってもよいし、別画面などで自端末の使用者が入力設定した金額であってもよい。
【００９３】
例えば、第４状態で、第１携帯端末２１において、第１携帯端末２１の使用者によって、第１携帯端末２１に残高情報画面Ｐ６を表示させる操作が行われると、第１携帯端末２１にインストールされた決済プログラムが残高表示工程を実行し、第１携帯端末２１がサーバー３０にアクセスし、第２カード１２と第４カード１４の残高情報を取得し、第１表示領域Ｐ６ａには、自端末（第１携帯端末２１）と電気的に接続された第１カード１１の残高（８，６５０円）と、第１カード１１の使用者が保持する第２カード１２の残高（１２，３０２円）と第４カード１４の残高（９，２３８円）が表示され、第２表示領域Ｐ６ｂには、自端末（第１携帯端末２１）から第２カード１２への送金を行う第１振替指示ボタンＢ１と、自端末（第１携帯端末２１）から第４カード１４への送金を行う第２振替指示ボタンＢ２と、第２カード１２を無効化する第１無効化指示ボタンＣ１と、第４カード１４を無効化する第２無効化指示ボタンＣ２が表示される（図１４参照）。
【００９４】
図１４の状態で、第１振替指示ボタンＢ１がクリックされると、第１携帯端末２１にインストールされた決済プログラムが振替工程を実行し、自端末（第１携帯端末２１）に電気的に接続された第１カード１１について所定金額（１，０００円）の出金が行われ、第１振替指示ボタンＢ１に対応する第２カード１２について当該所定金額（１，０００円）の入金が行われる。
すなわち、第１携帯端末２１に電気的に接続された第１カード１１の電子マネーから、第１カード１１の使用者ＩＤ：３８に対応する他のＩＣカード（第２カード１２）の電子マネーへの振替が行われる。
【００９５】
具体的には、第１カード１１の第１カード制御部１１ｂに、当該所定金額（１，０００円）の出金（振替）に関する入出金情報や残高情報が記録され、第１カード１１と電気的に接続された第１携帯端末２１に表示された残高情報画面Ｐ６（図１５参照）が更新され、サーバー３０に当該入出金情報や当該残高情報が送信される。
【００９６】
サーバー３０は、第１携帯端末２１から送られてきた入出金情報や残高情報に基づいて、データベースＤ１を更新する（図１６参照）。
また、サーバー３０は、第２カード１２と電気的に接続した第２携帯端末２２に対して、当該所定金額（１，０００円）の入金（振替）に関する入出金情報や残高情報を送信する。
【００９７】
第２携帯端末２２において、決済プログラムが振替工程を実行し、サーバー３０から受信した当該所定金額（１，０００円）の入金（振替）に関する入出金情報や残高情報（入金表示画面Ｐ７）を表示する（図１７参照）。
【００９８】
これにより、ＩＣカードと電気的に接続された携帯端末上で、当該ＩＣカードの使用者と使用者ＩＤが共通する他のＩＣカードの残高情報を出力させることが可能になる。
【００９９】
また、当該ＩＣカードと当該他のＩＣカードの間で、電子マネーの振替を行うことが可能になる。
特に、ＩＣカードが電気的に接続された携帯端末を介するので、送り側の携帯端末と受け側の携帯端末とサーバー３０とが通信状態にある限り、タイムラグが殆ど無く、電子マネーの振替を行うことが出来る。
【０１００】
無効化指示ボタンがクリックされる（第２の操作が行われる）と、決済プログラムが無効化工程を実行し、無効化指示ボタンに対応する他のＩＣカードについて、データベースＤ１におけるカードＩＤと端末ＩＤの組み合わせの登録が削除され、当該他のＩＣカードの残高金額の出金が行われ、自端末に電気的に接続されたＩＣカードについて当該残高金額の入金が行われる。
すなわち、当該ＩＣカードの使用者ＩＤに対応する他のＩＣカードのアクティベートされた状態が解除され（ディアクティベートされ）、当該他のＩＣカードの電子マネーの決済が不可能な状態にされ、当該他のＩＣカードの電子マネーから、自端末に電気的に接続されたＩＣカードへの振替が行われる。
【０１０１】
残高金額の入金が行われると、ＩＣカードのカード制御部に、当該残高金額の入金（振替）に関する入出金情報や残高情報が記録され、ＩＣカードと電気的に接続された携帯端末に表示された当該残高情報画面Ｐ６が更新され、サーバー３０に当該入出金情報や当該残高情報や他のＩＣカードの無効化に関する情報（他のＩＣカードについて電子マネーの決済が不可能な状態にする指示に関する情報）が送信される。
【０１０２】
サーバー３０は、携帯端末から送られてきた入出金情報や残高情報や他のＩＣカードの無効化に関する情報に基づいて、データベースＤ１を更新する。
すなわち、サーバー３０は、データベースＤ１における他のＩＣカードのカードＩＤと端末ＩＤの組み合わせの登録を削除し、当該他のＩＣカードの残高を、無効化指示ボタンがクリックされた携帯端末に電気的に接続されたＩＣカードの残高に振替する。
また、サーバー３０は、他のＩＣカードと電気的に接続した他の携帯端末に対して、当該残高金額の出金（振替）に関する入出金情報や残高情報と無効化に関する情報を送信する。
【０１０３】
他の携帯端末に電気的に接続されたＩＣカードのカード制御部に、当該残高金額の出金（振替）に関する入出金情報や残高情報が記録される。
また、他の携帯端末において、決済プログラムが無効化工程を実行し、他の携帯端末と電気的に接続されたＩＣカードを使った電子マネーの入出金（決済）が不可能な状態にされ、サーバー３０から受信した無効化に関する情報（無効化完了画面Ｐ８）が表示される。
【０１０４】
ただし、無効化指示ボタンがクリックされた携帯端末と電気的に接続されたＩＣカードへの電子マネーの入金は、無効化指示ボタンに対応する他のＩＣカードにおける無効化や電子マネーの残高金額の出金処理が完了した後（サーバー３０から無効化や出金処理に関する情報を受けた後）に、行われる形態であってもよい。
【０１０５】
例えば、図１５の状態で、第２無効化指示ボタンＣ２がクリックされると、第１携帯端末２１にインストールされた決済プログラムが無効化工程を実行し、第２無効化指示ボタンＣ２に対応する第４カード１４について当該残高金額（９，２３８円）の出金が行われ、自端末（第１携帯端末２１）に電気的に接続された第１カード１１について第４カード１４の残高金額（９，２３８円）の入金が行われ、第４カード１４が無効化される。
すなわち、第１カード１１の使用者ＩＤ：３８に対応する他のＩＣカード（第４カード１４）の電子マネーから、第１携帯端末２１に電気的に接続された第１カード１１の電子マネーへの振替が行われる。
【０１０６】
具体的には、第１カード１１の第１カード制御部１１ｂに、当該所定金額（９，２３８円）の入金（振替）に関する入出金情報や残高情報が記録され、第１カード１１と電気的に接続された第１携帯端末２１に表示された残高情報画面Ｐ６（図１８参照）が更新され、サーバー３０に当該入出金情報や当該残高情報と第４カード１４の無効化に関する情報が送信される。
【０１０７】
サーバー３０は、第１携帯端末２１から送られてきた入出金情報や残高情報と第４カード１４の無効化に関する情報に基づいて、データベースＤ１を更新する（図１９参照）。
すなわち、サーバー３０は、データベースＤ１における使用者ＩＤ（３８）の第４カード１４のカードＩＤ（ＡＡ４）と第４携帯端末２４の端末ＩＤ（ＢＣＣ１１２１）の組み合わせの登録を削除する。
また、サーバー３０は、第４カード１４と電気的に接続した第４携帯端末２４に対して、当該残高金額（９，２３８円）の出金（振替）に関する入出金情報や残高情報と無効化に関する情報を送信する。
【０１０８】
第４携帯端末２４において、決済プログラムが無効化工程を実行し、第４携帯端末２４と電気的に接続された第４カード１４を使った電子マネーの入出金が不可能な状態にされ、サーバー３０から受信した無効化に関する情報（無効化完了画面Ｐ８）が表示される（図２０参照）。
【０１０９】
ただし、第１カード１１への電子マネーの入金は、第２無効化指示ボタンＣ２に対応する第４カード１４における無効化や電子マネーの残高金額の出金処理が完了した後（サーバー３０から第４カード１４の無効化や出金処理に関する情報を受けた後）に、行われる形態であってもよい。
【０１１０】
これにより、当該ＩＣカードを紛失したり盗まれたりした場合などに、当該ＩＣカードと当該他のＩＣカードの間で、当該他のＩＣカードの電子マネーの入出金を不可能な状態にすることが可能になる。
【０１１１】
なお、総ての携帯端末で無効化工程が行える形態に代えて、予めデータベースＤ１などで指定した携帯端末とＩＣカードの組み合わせ（例えば、第１携帯端末２１と第１カード１１の組み合わせ）でのみ無効化工程が行える（残高情報画面Ｐ６において第３表示領域Ｐ６ｃを表示する）形態であってもよい。
【０１１２】
また、無効化工程では、無効化指示ボタンで指定したＩＣカードと対応する携帯端末とで電子マネーの入出金が不可能な状態にするだけで、残高金額の振替を行わない形態であってもよい。
【０１１３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１４】
１  決済システム
１１〜１４  第１カード〜第４カード
１１ａ〜１３ａ  第１アンテナ部〜第３アンテナ部
１１ｂ〜１３ｂ  第１カード制御部〜第３カード制御部
２１〜２５  第１携帯端末〜第５携帯端末
２１ａ〜２３ａ  第１通信部〜第３通信部
２１ｂ〜２３ｂ  第１記録部〜第３記録部
２１ｃ〜２３ｃ  第１制御部〜第３制御部
２１ｄ〜２３ｄ  第１表示部〜第３表示部
２１ｅ〜２３ｅ  第１接続部〜第３接続部
３０  サーバー
３１  サーバー通信部
３３  サーバー記録部
３５  サーバー制御部
５１、５２  第１リーダー／ライター、第２リーダー／ライター
７０  所定の端末
Ｂ１、Ｂ２  第１振替指示ボタン、第２振替指示ボタン
Ｃ１、Ｃ２  第１無効化指示ボタン、第２無効化指示ボタン
Ｄ１  データベース
Ｐ１  使用可能表示画面
Ｐ２  確認表示画面
Ｐ３  拒否表示画面
Ｐ４  自端末情報画面
Ｐ５  他端末情報画面
Ｐ６  残高情報画面
Ｐ６ａ〜Ｐ６ｃ  第１表示領域〜第３表示領域
Ｐ７  入金表示画面
Ｐ８  無効化完了画面
Ｔ１、Ｔ２  第１時間、第２時間
【図１】
2018235710.tif 000003
【図２】
2018235710.tif 000004
【図３】
2018235710.tif 000005
【図４】
2018235710.tif 000006
【図５】
2018235710.tif 000007
【図６】
2018235710.tif 000008
【図７】
2018235710.tif 000009
【図８】
2018235710.tif 000010
【図９】
2018235710.tif 000011
【図１０】
2018235710.tif 000012
【図１１】
2018235710.tif 000013
【図１２】
2018235710.tif 000014
【図１３】
2018235710.tif 000015
【図１４】
2018235710.tif 000016
【図１５】
2018235710.tif 000017
【図１６】
2018235710.tif 000018
【図１７】
2018235710.tif 000019
【図１８】
2018235710.tif 000020
【図１９】
2018235710.tif 000021
【図２０】
2018235710.tif 000022
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
電子マネーの決済に使用されるアンテナ部とカード制御部を有するＩＣカードを着脱可能な状態で保持し且つ電気的に接続する携帯端末にインストールされた決済プログラムであって、
前記携帯端末は、ネットワークを介してサーバーと通信可能であり、
前記決済は、少なくとも前記アンテナ部がリーダー／ライターの通信領域に位置した場合に行われるものであり、
前記ＩＣカードから情報を読み取る読み取り工程と、
前記読み取り工程で得られた情報と、前記サーバーからの情報とに基づいて、前記携帯端末が保持し且つ電気的に接続した状態の前記ＩＣカードについて前記決済が可能な状態にする否かの判断を行う第１判断処理工程とを実行することを特徴とする決済プログラム。
【請求項２】
前記ＩＣカードの使用者ごとに、前記使用者の使用者ＩＤと前記ＩＣカードのカードＩＤと前記携帯端末の端末ＩＤの関係を示すデータベースが、前記サーバーからの情報であり、
前記データベースにおいて、前記使用者ＩＤに対応して、前記ＩＣカードの前記カードＩＤと前記携帯端末の前記端末ＩＤの組み合わせと、前記ＩＣカードと他のＩＣカードの前記カードＩＤと前記携帯端末と他の携帯端末の前記端末ＩＤの組み合わせが設定された場合に、前記ＩＣカードにおける前記電子マネーの残高情報と、前記他のＩＣカードにおける前記電子マネーの残高情報とを前記携帯端末に表示させる残高表示工程を実行することを特徴とする請求項１に記載の決済プログラム。
【請求項３】
前記残高表示工程において、前記携帯端末における第１の操作が行われた場合に、前記ＩＣカードにおける前記電子マネーの残高の少なくとも一部を、前記他のＩＣカードにおける前記電子マネーの残高に加算し、前記ＩＣカードにおける前記電子マネーの残高であって減算後のものと、前記他のＩＣカードにおける前記電子マネーの残高であって加算後のものを前記携帯端末に表示させることを特徴とする請求項２に記載の決済プログラム。
【請求項４】
前記残高表示工程において、前記携帯端末における第２の操作が行われた場合に、前記他のＩＣカードについて前記決済が不可能な状態にする指示に関する情報を前記サーバーに送信させることを特徴とする請求項２に記載の決済プログラム。
【請求項５】
前記第１判断処理工程において、前記決済が可能な状態にすると判断されなかった場合に、前記携帯端末を介した情報の入力に基づいて、前記携帯端末と電気的に接続した前記ＩＣカードについて前記決済が可能な状態にする否かの判断を行う第２判断処理工程を実行することを特徴とする請求項１に記載の決済プログラム。
【請求項６】
前記携帯端末を介して入力された情報として、前記ＩＣカードの使用者の使用者ＩＤと、前記使用者ＩＤに対応する文字列の少なくとも一方が入力された場合に、前記第２判断処理工程において、前記決済が可能な状態にすると判断されることを特徴とする請求項５に記載の決済プログラム。
【請求項７】
前記ＩＣカードのカードＩＤと、前記ＩＣカードの使用者の使用者ＩＤとが、前記ＩＣカードから読み取った情報であり、
前記使用者ごとに、前記使用者ＩＤと前記カードＩＤと前記携帯端末の端末ＩＤの関係を示すデータベースが、前記サーバーからの情報であり、
前記ＩＣカードから読み取った情報に含まれる前記カードＩＤと前記使用者ＩＤと、前記カードＩＤと前記使用者ＩＤを読み取った前記携帯端末の前記端末ＩＤの組み合わせが、前記データベースに含まれる場合は、前記第１判断処理工程において、前記決済が可能な状態にすると判断されることを特徴とする請求項１に記載の決済プログラム。
【請求項８】
電子マネーの決済に使用されるアンテナ部とカード制御部を有するＩＣカードを着脱可能な状態で保持し且つ電気的に接続する携帯端末における前記電子マネーの決済方法であって、
前記決済は、少なくとも前記アンテナ部がリーダー／ライターの通信領域に位置した場合に行われるものであり、
前記ＩＣカードから情報を読み取る読み取り工程と、
前記読み取り工程で得られた情報と、ネットワークを介して通信したサーバーからの情報とに基づいて、前記携帯端末が保持し且つ電気的に接続した状態の前記ＩＣカードについて前記決済が可能な状態にするか否かの判断を行う第１判断処理工程とを実行することを特徴とする決済方法。
【請求項９】
前記ＩＣカードの使用者ごとに、前記使用者の使用者ＩＤと前記ＩＣカードのカードＩＤと前記携帯端末の端末ＩＤの関係を示すデータベースが、前記サーバーからの情報であり、
前記データベースにおいて、前記使用者ＩＤに対応して、前記ＩＣカードの前記カードＩＤと前記携帯端末の前記端末ＩＤの組み合わせと、前記ＩＣカードと他のＩＣカードの前記カードＩＤと前記携帯端末と他の携帯端末の前記端末ＩＤの組み合わせが設定された場合に、前記ＩＣカードにおける前記電子マネーの残高情報と、前記他のＩＣカードにおける前記電子マネーの残高情報とを前記携帯端末に表示させる残高表示工程を実行することを特徴とする請求項８に記載の決済方法。
【請求項１０】
電子マネーの決済に使用されるアンテナ部とカード制御部とを備えたＩＣカードであって、
前記ＩＣカードは、着脱可能な状態で携帯端末に保持され且つ電気的に接続されるものであり、
前記決済は、少なくとも前記アンテナ部がリーダー／ライターの通信領域に位置した場合に行われるものであり、
前記携帯端末が前記ＩＣカードから読み取った情報と、ネットワークを介して前記携帯端末と通信したサーバーからの情報とに基づいて、前記携帯端末が保持し且つ電気的に接続した状態の前記ＩＣカードについて前記決済が可能な状態にするか否かの判断を行う第１判断処理工程が実行され、前記第１判断処理工程の後に、前記決済が可能な状態にされることを特徴とするＩＣカード。
【請求項１１】
前記ＩＣカードの使用者ごとに、前記使用者の使用者ＩＤと前記ＩＣカードのカードＩＤと前記携帯端末の端末ＩＤの関係を示すデータベースが、前記サーバーからの情報であり、
前記データベースにおいて、前記使用者ＩＤに対応して、前記ＩＣカードの前記カードＩＤと前記携帯端末の前記端末ＩＤの組み合わせと、前記ＩＣカードと他のＩＣカードの前記カードＩＤと前記携帯端末と他の携帯端末の前記端末ＩＤの組み合わせが設定された場合に、前記ＩＣカードにおける前記電子マネーの残高情報と、前記他のＩＣカードにおける前記電子マネーの残高情報とを前記携帯端末に表示させる残高表示工程が実行されることを特徴とする請求項１０に記載のＩＣカード。
【請求項１２】
電子マネーの決済に使用される第１のＩＣカードと、
前記第１のＩＣカードが、着脱可能な状態で保持され且つ電気的に接続される第１携帯端末と、
前記第１携帯端末とは他の携帯端末であって、前記第１のＩＣカードが、着脱可能な状態で電気的に接続される第２携帯端末と、
ネットワークを介して、前記第１携帯端末及び前記第２携帯端末と通信するサーバーとを備え、
前記決済は、少なくとも前記第１のＩＣカードのアンテナ部がリーダー／ライターの通信領域に位置した場合に行われるものであり、
前記第１のＩＣカードが前記第１携帯端末に保持され且つ電気的に接続された時に、前記第１のＩＣカードから読み取った情報と、前記サーバーからの情報とに基づいて、前記第１携帯端末と電気的に接続した前記第１のＩＣカードについて前記決済が可能な状態にする否かの判断が行われ、
前記第１のＩＣカードが前記第１携帯端末から取り外され、前記第１のＩＣカードが前記第２携帯端末に保持され且つ電気的に接続された時に、前記第１のＩＣカードから読み取った情報と、前記サーバーからの情報とに基づいて、前記第２携帯端末と電気的に接続した前記第１のＩＣカードについて前記決済が可能な状態にする否かの判断が行われることを特徴とする決済システム。
【請求項１３】
前記第１のＩＣカードとは他のＩＣカードであって、前記電子マネーの決済に使用される第２のＩＣカードを更に備え、
前記第１のＩＣカードと前記第２のＩＣカードの少なくとも一方の使用者ごとに、前記使用者の使用者ＩＤと前記第１のＩＣカード若しくは前記第２のＩＣカードのカードＩＤと前記携帯端末の端末ＩＤの関係を示すデータベースが、前記サーバーからの情報であり、
前記データベースにおいて、前記使用者ＩＤに対応して、前記第１のＩＣカードの前記カードＩＤと前記第１携帯端末の前記端末ＩＤの組み合わせと、前記第２のＩＣカードの前記カードＩＤと前記第２携帯端末の前記端末ＩＤの組み合わせが設定された場合に、前記第１携帯端末には、前記第１のＩＣカードにおける前記電子マネーの残高情報と、前記第２のＩＣカードにおける前記電子マネーの残高情報とが表示されることを特徴とする請求項１２に記載の決済システム。
【国際調査報告】
2018235710.tif 000023
2018235710.tif 000024
2018235710.tif 000025
2018235710.tif 000026